(57)【特許請求の範囲】
【請求項１】
別体のワイヤードリモートコントロール装置が接続されて、リモートコントロール用データの出力及び入力を行うリモートコントロール用端子と、
ワイヤレスリモートコントロール装置との間で無線送信及び無線受信を行う送信手段及び受信手段を備えた電子機器であり、
上記リモートコントロール用データの出力及び入力を行うポートを有し、上記ワイヤードリモートコントロール装置と上記ワイヤレスリモートコントロール装置の双方と上記ポートを使って通信を行う制御部と、
上記ポートに所定の電圧を印加する電圧印加手段と、
上記ポートと上記送信手段との間に接続される送信用バッファと、
上記受信手段と上記ポートとの間に接続される受信用バッファと、
上記受信用バッファの状態をハイインピーダンス状態と動作状態とに選択できる選択手段とを備え、
上記ポートを上記リモートコントロール用端子と接続し、
上記制御部が上記ワイヤードリモートコントロール装置と上記ワイヤレスリモートコントロール装置の内の使用可能なものを選択する際に、上記選択手段が上記受信用バッファの状態をハイインピーダンス状態とした上で、上記制御部が、上記ポートの電圧レベルを検出し、
検出したレベルが、上記リモートコントロール用端子に上記ワイヤードリモートコントロール装置が接続されていない状態に相当する第１の電圧レベルであるとき、上記制御部は、上記ポートを使って、上記送信手段及び受信手段を使用した無線送信及び無線受信用のデータの入力及び出力を行い、
検出したレベルが、上記第１のレベルより低い、上記リモートコントロール用端子に上記ワイヤードリモートコントロール装置が接続されている状態に相当する第２のレベルのとき、上記制御部は、上記ポートを使って、上記リモートコントロール端子に接続された上記ワイヤードリモートコントロール装置用のデータの出力及び入力を行う
電子機器。
【請求項２】
請求項１記載の電子機器において、
上記制御部は、記録媒体の記録及び／又は再生を制御する手段であり、上記ポートから出力されるデータは、上記記録媒体の記録及び／又は再生に関連したデータであり、上記ポートに入力されるデータは、上記記録媒体の記録及び／又は再生をコントロールするデータである
電子機器。
【発明の詳細な説明】
【０００１】
【発明の属する技術分野】
本発明は、例えば携帯用のオーディオ再生装置に適用して好適な電子機器に関し、特にリモートコントロール装置で遠隔制御される電子機器に関する。
【０００２】
【従来の技術】
従来、光ディスク，光磁気ディスク，磁気テープなどの記録媒体に記録されたオーディオデータを再生したり、或いは記録が可能なオーディオ再生装置やオーディオ記録再生装置が各種開発されている。この場合、携帯用として小型に構成されたものもあり、このような携帯用の機種の場合には、リモートコントロール装置で遠隔制御できるようにしたものが多々ある。
【０００３】
即ち、例えば携帯用の小型のオーディオ再生装置の場合、ヘッドホン装置を再生装置に接続して、そのヘッドホン装置で再生したオーディオを聴取するようにしてあり、再生装置とヘッドホン装置とを接続するケーブルの途中にリモートコントロール装置を配置したものがある。この場合、そのリモートコントロール装置と再生装置の通信についてもケーブルを介して行い、リモートコントロール装置に取付けられたキーの操作で、再生装置の制御ができると共に、リモートコントロール装置に配置された表示パネルに、再生装置から供給される再生状態のデータに基づいた表示（例えばトラック番号，再生時間，ディスク名，曲名，再生状態などの表示）ができるようにしてある。
【０００４】
このようなリモートコントロール装置を備えることで、リモートコントロール装置によるオーディオ機器の遠隔制御が行え、オーディオ機器の操作性が向上する。ところで、このような有線接続によるリモートコントロール装置（ワイヤードリモートコントロール装置）の場合には、ヘッドホン装置のケーブルと一体になっているため、ある程度その位置に制限がある。このため、１台の機器に対して、ワイヤードリモートコントロール装置の他に、ワイヤレスリモートコントロール装置についても使用できるようにして、そのワイヤレスリモートコントロール装置から無線で機器本体が遠隔制御できるようにしたものも提案されている。
【０００５】
図５は、従来のこの種のオーディオ機器で、ワイヤードリモートコントロール装置とワイヤレスリモートコントロール装置の双方が選択的に使用できるようにした場合の、オーディオ機器側の構成の一例を示した図である。オーディオ機器のシステムコントローラ１０は、この機器の各部の制御を行う制御手段である。ここでは、リモートコントロールに関係した構成のみを示してあり、他のシステムコントローラ１０に接続される他の回路については省略してある。
【０００６】
システムコントローラ１０は、ワイヤード用通信ポート１０ａを備えて、このワイヤード用通信ポート１０ａをワイヤードリモートコントロール装置用端子１１と接続してある。端子１１に接続されるワイヤードリモートコントロール装置は、この端子１１を介した信号線でシステムコントローラ１０と時分割で双方向に通信を行う構成としてあり、システムコントローラ１０側からはリモートコントロール装置が備える表示部で表示させるためのデータが供給され、リモートコントロール装置側からシステムコントローラ１０には、機器の動作を制御するデータが供給される。
【０００７】
また、システムコントローラ１０は、ワイヤレス用送信ポート１０ｂとワイヤレス用受信ポート１０ｃを備えて、ワイヤレス用送信ポート１０ｂは、送信処理回路１２に接続してあり、システムコントローラ１０の出力を無線送信処理し、その送信出力をアンテナ１３に供給して無線送信させる。ワイヤレス用受信ポート１０ｃは、受信処理回路１４に接続してあり、アンテナ１３で受信した信号を受信処理回路１４が受信処理して、受信データをワイヤレス用受信ポート１０ｃに供給する。送信処理回路１２及び受信処理回路１４での動作は、システムコントローラ１０の制御ポート１０ｄから出力されるデータにより制御される。即ち、ワイヤレスリモートコントロール装置を使用するモード（以下ワイヤレスモードと称する）であるとき、両処理回路１２，１４を作動させるデータをポート１０ｄから出力させ、ワイヤードリモートコントロール装置を使用するモード（以下ワイヤードモードと称する）であるとき、両処理回路１２，１４を作動させないデータをポート１０ｄから出力させる。なお、各ポート１０ａ，１０ｂ，１０ｃには、抵抗器Ｒ１１，Ｒ１２，Ｒ１３を介して所定のバイアス電圧が供給される構成としてある。
【０００８】
このように構成したことで、ワイヤードモードであるとき、ポート１０ａを使用した双方向の通信を行って、ワイヤードリモートコントロール装置が使用可能になる。また、ワイヤレスモードであるとき、ポート１０ｂ，１０ｃを使用した双方向の通信を行って、ワイヤレスリモートコントロール装置が使用可能になる。
【０００９】
【発明が解決しようとする課題】
ところが、従来のこの種の電子機器において、ワイヤードリモートコントロール装置とワイヤレスリモートコントロール装置の双方を接続できる構成とした場合には、システムコントローラとその周辺の構成が複雑になる問題がある。即ち、図５に示す構成の場合には、システムコントローラがリモートコントロール用として４つのポート１０ａ，１０ｂ，１０ｃ，１０ｄを必要とし、システムコントローラとその周辺回路の構成が複雑になってしまう。
【００１０】
このポートの数が増える問題を回避するためには、例えば図６に示す構成とすることができる。即ち、機器のシステムコントローラ２０は、ワイヤード用通信ポート２０ａを備えて、このワイヤード用通信ポート２０ａをワイヤードリモートコントロール装置用端子２１と接続し、端子２１に接続されたリモートコントロール装置と双方向に通信を行う構成とする。また、ワイヤレス用通信ポート２０ｂを備えて、このポート２０ｂを抵抗器Ｒ２３とバッファ２２を介して送信処理回路２３に接続し、送信処理回路２３で処理された送信信号をアンテナ２４から無線送信させる。また、アンテナ２４に接続された受信処理回路２５で受信したデータを、バッファ２６及び抵抗器Ｒ２４を介してワイヤレス用通信ポート２０ｂに供給する構成とする。送信処理回路２３及び受信処理回路２５での動作は、システムコントローラ２０の制御ポート２０ｃから出力されるデータにより制御される構成とする。各通信ポート２０ａ，２０ｂには、抵抗器Ｒ１１，Ｒ１２，Ｒ１３を介して所定のバイアス電圧が供給される構成としてある。
【００１１】
このように構成して、ワイヤレスリモートコントロール装置用のポートについても、送信と受信で１個のポートを兼用させる構成とすることで、図５の構成に比べてポートの数を１個は減らすことができる。ところが、この図６の構成でもいずれか一方のリモートコントロール装置だけを使用する構成に比べて複雑になっている。
【００１２】
また別の構成として、図７に示す構成とすることもできる。即ち、機器のシステムコントローラ３０は、通信用のポートとしては１個の通信ポート３０ａだけを備えて、この通信ポート３０ａを切換スイッチ３１の可動接点３１ｍに接続する。通信ポート３０ａには、抵抗器Ｒ３１を介して所定のバイアス電圧が供給される構成とする。
【００１３】
切換スイッチ３１の第１の固定接点３１ａは、ワイヤードリモートコントロール装置用端子３２の接点部３２ａと接続させる。また、切換スイッチ３１の第２の固定接点３１ｂは、ワイヤレス用の回路と接続させる。切換スイッチ３１の可動接点３１ｍの切換えは、ワイヤードリモートコントロール装置用端子３２へのジャック（リモートコントロール装置のジャック）の挿入状態により制御される構成としてある。即ち、ジャックを端子３２に挿入したとき、端子３２の接点部３２ａが接点３２ｂと接触して、切換スイッチ３１の可動接点３１ｍが第１の固定接点３１ａと接続状態になるように構成し、ジャックが端子３２に挿入されてない状態では、切換スイッチ３１の可動接点３１ｍが第２の固定接点３１ｂと接続状態になるように構成する。
【００１４】
切換スイッチ３１の第２の固定接点３１ｂに接続されるワイヤレス用の回路としては、送信系の回路と受信系の回路とを共通に説明する。即ち、第２の固定接点３１ｂを、抵抗器Ｒ３３とバッファ３３を介して送信処理回路３４に接続し、送信処理回路３４が出力する送信信号をアンテナ３５から無線送信させる。また、アンテナ３５で受信した信号を受信処理回路３６で受信処理し、受信処理回路３６が出力する受信データを、バッファ３７と抵抗器Ｒ３３を介して、第２の固定接点３１ｂに供給する。送信処理回路３４及び受信処理回路３６での動作は、システムコントローラ３０の制御ポート３０ｂから出力されるデータにより制御される構成とする。
【００１５】
このように構成することで、ワイヤードリモートコントロール装置用のジャックの端子３２への挿入状態により、切換スイッチ３１がワイヤード側（即ち第１の固定接点３１ａ側）とワイヤレス側（即ち第２の固定接点３１ｂ側）とに切換わり、システムコントローラ３０がリモートコントロール用に備えるポートとしては２個のポート３０ａ，３０ｂだけで良くなる。ところが、この図７に示す構成の場合には、機械的に連動して作動する切換スイッチ３１と端子３２とが必要であり、やはり構成が複雑になる問題がある。
【００１６】
なお、ここまでの説明では、オーディオ機器を例にして説明したが、１台の機器に対してワイヤードのリモートコントロール装置とワイヤレスのリモートコントロール装置の双方が使用できるようにする場合には、他の各種電子機器の場合にも同様の問題が存在する。
【００１７】
本発明の目的は、簡単な構成で、１台の電子機器に対してワイヤードのリモートコントロール装置とワイヤレスのリモートコントロール装置の双方が使用できるようにすることにある。
【００１８】
【課題を解決するための手段】
本発明は、別体のワイヤードリモートコントロール装置が接続されて、リモートコントロール装置用データの出力及び入力を行うリモートコントロール用端子と、ワイヤレスリモートコントロール装置との間で無線送信及び無線受信を行う送信手段及び受信手段を備えた電子機器であり、上記リモートコントロール用データの出力及び入力を行うポートを有し、上記ワイヤードリモートコントロール装置と上記ワイヤレスリモートコントロール装置の双方と上記ポートを使って通信を行う制御部と、上記ポートに所定の電圧を印加する電圧印加手段と、上記ポートと上記送信手段との間に接続される送信用バッファと、上記受信手段と上記ポートとの間に接続される受信用バッファと、上記受信用バッファの状態をハイインピーダンス状態と動作状態とに選択できる選択手段とを備え、上記ポートを上記リモートコントロール用端子と接続し、上記制御部が上記ワイヤードリモートコントロール装置と上記ワイヤレスリモートコントロール装置の内の使用可能なものを選択する際に、上記選択手段が上記受信用バッファの状態をハイインピーダンス状態とした上で、上記制御部が、上記ポートの電圧レベルを検出し、検出したレベルが、上記リモートコントロール用端子に上記ワイヤードリモートコントロール装置が接続されていない状態に相当する第１の電圧レベルであるとき、上記制御部は、上記ポートを使って、上記送信手段及び受信手段を使用した無線送信及び無線受信用のデータの入力及び出力を行い、検出したレベルが、上記第１のレベルより低い、上記リモートコントロール用端子に上記ワイヤードリモートコントロール装置が接続されている状態に相当する第２のレベルのとき、上記制御部は、上記ポートを使って、上記リモートコントロール端子に接続された上記ワイヤードリモートコントロール装置用のデータの出力及び入力を行うものである。
【００１９】
本発明の構成としたことで、受信用バッファがハイインピーダンス状態のときに、制御部がポートの状態を検出することで、端子にワイヤードリモートコントロール装置が接続されているのか否か判断でき、その判断に基づいてワイヤード用のモード又はワイヤレス用のモードが設定できるようになる。
【００２０】
【発明の実施の形態】
以下、本発明の一実施の形態を、図１〜図４を参照して説明する。
【００２１】
本例においては、デジタルオーディオデータが記録された光ディスク又は光磁気ディスクを再生する携帯用のオーディオ機器としてのディスク再生装置に適用したものである。図１及び図２は、ディスク再生装置１００の構成を示したものである。ここで、本例のディスク再生装置１００は、ワイヤードリモートコントロール装置１４０と、ワイヤレスリモートコントロール装置１６０の双方が使用可能であり、図１ではワイヤードリモートコントロール装置１４０を使用した例としてあり、図２ではワイヤレスリモートコントロール装置１６０を使用した例としてある。但し、本例の場合にはワイヤードリモートコントロール装置１４０とワイヤレスリモートコントロール装置１６０の両方を同時に使用することは出来ず、操作時にはいずれか一方だけを使用する。
【００２２】
まず、ディスク再生装置１００でディスクを再生する構成について説明すると、ディスク再生装置１００に装着されたディスク１０１は、スピンドルモータ１０２で回転駆動され、光学ピックアップ１０３でディスクから読出したデータを、再生処理回路１０４に供給して、再生データを復調する。スピンドルモータ１０２，光学ピックアップ１０３，再生処理回路１０４での処理は、システムコントローラ１１０の制御に基づいて実行される。
【００２３】
再生処理回路１０４で得た再生オーディオデータは、デジタル・アナログ変換器１０５に供給してアナログ音声信号に変換し、その変換されたアナログ音声信号をアナログ処理回路１０６に供給して、増幅などのアナログ処理を行い、処理されたアナログ音声信号を端子部１２０のオーディオ出力端子１２１に供給する。なお、本例のディスク再生装置１００で再生されるオーディオデータは、実際には左右２チャンネルのステレオオーディオデータであるが、ここでは説明を簡単にするために１系統で示してある。
【００２４】
本例の端子部１２０は、オーディオ信号用のプラグとリモートコントロール用のプラグが一体化されたものが装着できるジャックとして構成としてある。即ち、装着されるプラグとして、例えば図３に示すように、棒状のオーディオ用プラグ１４６と平板状のリモートコントロール用プラグ１４７とが一体化されたプラグ１４５が装着できる構成としてある。端子部１２０のリモートコントロール用の端子（即ちリモートコントロール用プラグ１４７と接続される端子）としては、リモートコントロール装置に電源（ここでは＋５Ｖ電源）を供給する端子１２２と、リモートコントロール装置と双方向で通信を行うデータ用の端子１２３と、リモートコントロール装置側のキー情報が得られる端子１２４と、接地用端子１２５の４つの端子を備える。なお、本例のディスク再生装置１００にワイヤードリモートコントロール装置１４０を接続しない場合には、端子部１２０のオーディオ出力端子１２１に、ヘッドホン装置のプラグを直接接続できる構成としてある。
【００２５】
そして本例のディスク再生装置１００には、再生などの指示を行う各種操作キー１０７が配置してあり、そのキー１０７の操作情報が制御部であるシステムコントローラ１１１に供給される構成としてある。また、液晶表示パネルで構成される表示部１０８がディスク再生装置１００に配置してあり、システムコントローラ１１１の制御で、再生状態などの表示（例えばトラック番号，再生時間，ディスク名，曲名，再生状態などの表示）が行われるようにしてある。
【００２６】
次に、システムコントローラ１１０がリモートコントロール装置と通信を行う構成について説明する。システムコントローラ１１０は、リモートコントロール装置と通信を行うための通信用ポート１１１を備え、この通信用ポート１１１が端子１２３に接続してある。この通信用ポート１１１には、抵抗器Ｒ１を介して所定のバイアス電圧が供給される構成としてある。また、通信用ポート１１１が、抵抗器Ｒ２と送信用バッファ１３１を介して送信処理回路１３２に接続してあり、さらに受信処理回路１３４が、受信用バッファ１３５と抵抗器Ｒ３を介して通信用ポート１１１に接続してある。
【００２７】
送信処理回路１３２と受信処理回路１３４には、アンテナ１３３が接続してあり、送信処理回路１３２が出力する送信信号をアンテナ１３３から無線送信すると共に、アンテナ１３３が受信した信号を受信処理回路１３４が受信処理する構成としてある。送信処理回路１３２での送信動作と、受信処理回路１３４での受信動作は、システムコントローラ１１０の送受信制御用ポート１１４から出力されるデータにより動作状態又は不動作状態に制御される。また、本例の送信処理回路１３２からの送信信号の出力と、受信処理回路１３４からの受信信号の出力とは、予め決められたフォーマットに基づいて時分割で行う構成としてある。
【００２８】
本例の受信用バッファ１３５としては、動作状態と不動作状態とハイインピーダンス状態の３つの状態に制御できるいわゆる３ステートバッファを使用してあり、その状態は、システムコントローラ１１０のバッファ制御用ポート１１３に得られる信号により制御される。
【００２９】
また本例のシステムコントローラ１１０は、キー情報用ポート１１２を備えて、端子部１２０の端子１２４と接続させてあり、後述するワイヤードリモートコントロール装置１４０からのキー操作情報が、キー情報用ポート１１２に供給される。
【００３０】
次に、再生装置１００に接続されるワイヤードリモートコントロール装置１４０の構成を、図１を参照して説明する。ワイヤードリモートコントロール装置１４０は、図１に示すように、再生装置１００の端子部１２０に接続されて使用される。このリモートコントロール装置１４０は、リモートコントロール装置内の制御を行うコントローラ１４１と、このコントローラ１４１の制御で各種情報を表示する表示部１４２と、再生装置の操作用のキー１４３と、ヘッドホン装置用プラグが接続されるジャック１４４とを備える。
【００３１】
コントローラ１４１と表示部１４２は、再生装置１００の端子１２２から供給される電源により作動する。表示部１４２は、液晶表示パネルなどの表示手段で構成されて、再生装置本体側の表示部１０８と同様の情報の表示（例えばトラック番号，再生時間，ディスク名，曲名，再生状態などの表示）が行われるようにしてある。キー１４３については、例えば端子部１２０の端子１２１と端子１２５との間（即ち電源電位部と接地電位部との間）に接続されて、キー１４３の操作状態に基づいて、端子１２４に得られる電位（即ち再生装置側のシステムコントローラ１１０のキー情報用ポート１１２で検出される電位）が変化するようにして、システムコントローラ１１０でその操作状態を検出できる構成としてある。ジャック１４４には、ヘッドホン装置１５０が接続してあり、ヘッドホン装置１５０の左右のスピーカユニット１５１，１５２から音声が出力される。
【００３２】
次に、再生装置１００の遠隔制御を行うワイヤレスリモートコントロール装置１６０の構成を、図２を参照して説明する。ワイヤレスリモートコントロール装置１６０は、送受信を行う構成として、アンテナ１６１と、このアンテナ１６１が受けた信号を受信処理する受信処理回路１６２と、アンテナ１６１で送信する信号を処理する送信処理回路１６６とを備える。アンテナ１６１を介した無線伝送は、ディスク再生装置１００のアンテナ１３３に接続された回路との間で行われる。ここでの無線伝送に使用される周波数帯としては、例えば２４０ＭＨｚ帯などが使用され、その送信出力としては比較的弱い出力とされて、ディスク再生装置１００とリモートコントロール装置１６０との距離が１〜２ｍ程度の範囲で無線伝送が可能な程度としてある。
【００３３】
受信処理回路１６２と送信処理回路１６６は、リモートコントロール装置内の動作を制御するシステムコントローラ１６３に接続してある。このシステムコントローラ１６３には、再生状態などが表示される表示部１６４と、再生動作などを指示するキー１６５とが接続してある。表示部１６４は、液晶表示パネルなどの表示手段が使用されて、再生装置本体側の表示部１０８と同様の情報の表示（例えばトラック番号，再生時間，ディスク名，曲名，再生状態などの表示）が行われるようにしてある。また、このワイヤレスリモートコントロール装置１６０を作動させる電源を供給する電池が内蔵させてある。
【００３４】
ここで、ディスク再生装置１００とワイヤードリモートコントロール装置１４０及びワイヤレスリモートコントロール装置１６０の使用状態の例を、図３に示す。ディスク再生装置１００は、端子部１２０にワイヤードリモートコントロール装置１４０のプラグ１４５を矢印ａで示すように挿入することで、接続される。この場合、ワイヤードリモートコントロール装置１４０のヘッドホンジャック１４４に、ヘッドホン装置１５０を接続することで、ワイヤードリモートコントロール装置１４０を介してヘッドホン装置１５０がディスク再生装置１００に接続される。ワイヤードリモートコントロール装置１４０のキー１４３は、ここでは矢印ｂで示すような左右両方向への回動操作と、矢印ｃで示す方向への押下げ操作とが可能な構成とされて、両操作の組み合わせで、再生装置１００の各種操作指示が行え、表示部１４２には文字や図形などで各種表示が行われる。
【００３５】
また、ワイヤレスリモートコントロール装置１６０についても、ワイヤードリモートコントロール装置１４０と同様に、表示部１６４とキー１６５とを備えて、表示部１６４での各種表示と、キー１６５での各種操作指示が行える。但し本例の場合には、ディスク再生装置１００の端子部１２０にワイヤードリモートコントロール装置１４０を接続した場合には、このワイヤードリモートコントロール装置１４０だけがリモートコントロール装置として使用可能であり、端子部１２０にワイヤードリモートコントロール装置１４０を接続してない状態の場合にだけ、ワイヤレスリモートコントロール装置１６０が使用可能である。
【００３６】
このリモートコントロール装置の選択的な使用を実現するために、本例の場合には、ディスク再生装置１００の端子部１２０の端子１２３の状態を、ディスク再生装置１００内のシステムコントローラ１１０が判別する構成としてある。
【００３７】
次に、両リモートコントロール装置１４０，１６０の選択的な使用を実現する処理を、図４のフローチャートを参照して説明する。まず、システムコントローラ１１０は、バッファ制御用ポート１１３から出力される信号により、受信用バッファ１３５の状態を周期的にハイインピーダンス（Ｈｉ−Ｚ）状態にする（ステップＳ１１）。この状態で、通信用ポート１１１を入力用ポートとして設定し（ステップＳ１２）、そのポート１１１の状態をシステムコントローラ１１０が判別する（ステップＳ１３）。
【００３８】
ここでは、ポート１１１の状態がローレベル信号“Ｌ”であるかハイレベル信号“Ｈ”であるか判断するが、端子１２３にワイヤードリモートコントロール装置１４０が接続されている場合には、受信用バッファ１３５の状態をハイインピーダンス状態にしても、ワイヤードリモートコントロール装置１４０側の回路が接続されているために、ポート１１１の状態がローレベル信号“Ｌ”になる。従って、ステップＳ１３でローレベル信号“Ｌ”であると検出された場合には、ワイヤードリモートコントロール装置１４０が接続されていると判断して、受信用バッファ１３５の状態をハイインピーダンスのまま維持させて、ワイヤードリモートコントロール装置１４０との時分割での双方向の通信を開始させる（ステップＳ１４）。そして、ワイヤードリモートコントロール装置１４０が端子部１２０から外されたとステップＳ１５で判断されるまで、その通信を行い、ステップＳ１５で外されたと判断したとき、ステップＳ１１に戻る。なお、ステップＳ１４でワイヤードリモートコントロール装置１４０と通信中には、送受信制御用ポート１１４からの信号により、送信処理回路１３２及び受信処理回路１３４での処理動作は停止させる。
【００３９】
そしてステップＳ１３でハイレベル信号“Ｈ”であると判断したときには、受信用バッファ１３５がハイインピーダンスであると共に端子１２３に何も接続されていない状態であるため、ワイヤードリモートコントロール装置１４０が接続されていないと判断して、受信用バッファ１３５を動作状態（アクティブ状態）にすると共に、送受信制御用ポート１１４からの信号により送信処理回路１３２及び受信処理回路１３４についても動作状態として、ワイヤレスリモートコントロール装置１６０との通信を行う（ステップＳ１６）。そして、１パケットの双方向通信を行ったか否か判断し（ステップＳ１７）、１パケットの通信を行う毎にステップＳ１１に戻る。なお、ここでの１パケットの通信とは、１単位の送信と１単位の受信とが行われる状態を示す。
【００４０】
従って、ワイヤレスリモートコントロール装置と通信を行う場合には、１パケットの通信が行われる毎に、ステップＳ１１の受信用バッファをハイインピーダンス状態にする処理が行われ、ワイヤードリモートコントロール装置が接続されていないか確認される。
【００４１】
なお、ステップＳ１４でシステムコントローラ１１０がポート１１１を介してワイヤードリモートコントロール装置用に時分割で入力及び出力させるためのデータの構成と、ステップＳ１７でシステムコントローラ１１０がポート１１１を介してワイヤレスリモートコントロール装置用に時分割で入力及び出力させるデータの構成とは、ここでは異なる構成としてあり、それぞれの通信用に対応したデータの入出力が行われる。
【００４２】
このように本例のディスク再生装置によると、無線信号の受信用のバッファ１３５を随時ハイインピーダンス状態に制御して、ワイヤードリモートコントロール装置１４０が接続されているか否か確認し、ワイヤードリモートコントロール装置１４０が接続されていない場合には、ワイヤレスリモートコントロール装置１６０と通信を行って、ワイヤレスでの遠隔制御と、そのリモートコントロール装置１６０での各種情報の表示とを実行させ、ワイヤードリモートコントロール装置１４０が接続されている場合には、ワイヤードリモートコントロール装置１４０と通信を行って、有線での遠隔制御と、そのリモートコントロール装置１４０での各種情報の表示とを実行させ、それぞれのリモートコントロール装置１４０，１６０が選択的に良好に使用できる。
【００４３】
そして本例においては、システムコントローラ１１０がリモートコントロール装置との通信用に備えるポートとしては、通信用ポート１１１だけで良く、１つのポートだけを備えた簡単な構成で、ワイヤレスとワイヤードの双方のリモートコントロール装置との通信が選択的に行える。また、通信用ポート１１１の他には、バッファ制御用ポート１１３により受信用バッファ１３５の制御を行う構成を付加すれば良いだけであり、従来よりも簡単な構成で、ワイヤレスとワイヤードの双方のリモートコントロール装置との選択的な通信が行える。
【００４４】
なお、上述した実施の形態では、オーディオデータが記録された光ディスクや光磁気ディスクの再生を行うディスク再生装置に適用したが、同様のディスクに記録する機能を備えた記録装置、或いは記録する機能と再生する機能を備えた記録再生装置にも適用できることは勿論である。また、ディスクの再生装置や記録装置以外にも、ワイヤレスリモートコントロール装置とワイヤードリモートコントロール装置の双方が選択的に使用される電子機器であれば、他の電子機器にも本発明は適用できるものである。
【００４５】
【発明の効果】
請求項１に記載した発明によると、受信用バッファをハイインピーダンス状態と動作状態に選択的に制御できることで、通信用のポートの状態を判断する状態と、通信用のポートを使用してワイヤードモード又はワイヤレスモードでの通信を行う状態とが設定でき、１つのポートをワイヤード用とワイヤレス用とに兼用させた簡単な構成で、ワイヤードモードとワイヤレスモードの設定が適切に行える。
【００４６】
そして、選択手段が受信用バッファの状態をハイインピーダンス状態とした上で、制御部がポートの電圧レベルを検出し、検出したレベルが、第１の電圧レベルであるとき、ワイヤレス用にデータの入出力を行うように設定し、第１の電圧レベルよりも低い第２の電圧レベルであるとき、ワイヤード用にデータの入出力を行うように設定することで、それぞれのモード設定が電圧レベル検出に基づいて確実に行える。
【００４７】
請求項２に記載した発明によると、請求項１に記載した発明において、制御部は、記録媒体の記録及び／又は再生を制御する手段であり、ポートから出力されるデータは、記録媒体の記録及び／又は再生に関連したデータであり、ポートに入力されるデータは、記録媒体の記録及び／又は再生をコントロールするデータであることで、記録媒体の記録及び／又は再生を行う機器のリモートコントロール装置として、ワイヤードリモートコントロール装置と、ワイヤレスリモートコントロール装置の双方を選択的に使用することが、簡単に実現できるようになる。
【図面の簡単な説明】
【図１】本発明の一実施の形態による構成の例（ワイヤードリモートコントロール装置を接続した例）を示すブロック図である。
【図２】本発明の一実施の形態による構成の例（ワイヤレスリモートコントロール装置を接続した例）を示すブロック図である。
【図３】本発明の一実施の形態による機器の形状の例を示す斜視図である。
【図４】本発明の一実施の形態による通信処理例を示すフローチャートである。
【図５】従来のリモートコントロール装置と通信を行う構成の例（その１）を示す構成図である。
【図６】従来のリモートコントロール装置と通信を行う構成の例（その２）を示す構成図である。
【図７】従来のリモートコントロール装置と通信を行う構成の例（その３）を示す構成図である。
【符号の説明】
１００…ディスク再生装置、１１０…システムコントローラ、１１１…通信用ポート、１１２…キー情報用ポート、１１３…バッファ制御用ポート、１１４…送受信制御用ポート、１２０…端子部、１３１…送信用バッファ、１３２…送信処理回路、１３４…受信処理回路、１３５…受信用バッファ、１４０…ワイヤードリモートコントロール装置、１５０…ヘッドホン装置、１６０…ワイヤレスリモートコントロール装置
【図１】
0004395907.tif 000002
【図２】
0004395907.tif 000003
【図３】
0004395907.tif 000004
【図４】
0004395907.tif 000005
【図５】
0004395907.tif 000006
【図６】
0004395907.tif 000007
【図７】
0004395907.tif 000008